(57)【特許請求の範囲】
【請求項１】
ヒータ(25)(26)と、
前記ヒータ(25)(26)に通電するための回路を開閉するスイッチ(41)(48)と、
前記スイッチ(41)(48)と並列に接続され、前記スイッチ(41)(48)と比較して通電抵抗値が大きくて前記スイッチ(41)(48)がオフのときに小電流によって作動する信号回路と、
前記ヒータ(25)(26)に加熱用の電流が流れたことを検出するヒータ駆動電流検出手段と、
前記信号回路が作動していることを検知する信号回路作動検知手段(84)(97)と、
周囲温度により抵抗値が変化する凍結温度検知センサ(31)と、
前記スイッチ(41)(48)をオン、オフ制御するリレー(170)(171)と、
前記凍結温度検知センサ(31)により周囲温度が所定温度以下となったことを検知したときに前記リレー(170)(171)を駆動して前記スイッチ(41)(48)を閉じるリレー駆動手段(169)と、
前記凍結温度検知センサ(31)が断線又は短絡したことを検知する断線・短絡検知手段(181)とを備え、
前記ヒータ(25)(26)、前記スイッチ(41)(48)及び前記信号回路には第１の電源部から交流電圧を供給し、前記信号回路作動検知手段(84)(97)、前記ヒータ駆動電流検出手段、凍結温度検知センサ(31)、前記リレー駆動手段(169)及び前記断線・短絡検知手段(181)には第１の電源部よりも電圧の低い第２の電源部から直流電圧を供給し、
前記信号回路作動検知手段(84)(97)が前記信号回路の作動を検知せず、かつ、前記ヒータ駆動電流検出手段がヒータ加熱用の電流を検出しない場合には、前記ヒータ(25)(26)が断線していると判断し、
前記凍結温度検知センサ(31)とセンサ用抵抗(150)とを直列接続したものを前記第２の電源部とグランドとの間に接続し、
前記断線・短絡検知手段(181)は、前記凍結温度検知センサ(31)と前記センサ用抵抗(150)との中点から取り出した電圧が所定電圧範囲の最大値よりも大きいか、あるいは所定電圧範囲の最小値よりも小さい場合には、前記凍結温度検知センサ(31)が断線又は短絡していると判断することを特徴とするヒータ異常検出回路において、
前記ヒータ駆動電流検出手段は、前記ヒータ(25)(26)に流れる電流を検出するための電流センサ(58)(93)と、前記電流センサ(58)(93)に流れる電流を整流平滑化する整流平滑回路(59)(94)と、２つの基準電位を有し前記整流平滑回路(59)(94)の出力が小さな値の基準電位をそれよりも大きな側からそれよりも小さな側へ通過したときにヒータ加熱用の電流を検出しないと判断し、かつ、前記整流平滑回路(59)(94)の出力が大きな値の基準電位をそれよりも小さな側からそれよりも大きな側へ通過したときにヒータ加熱用の電流を検出していると判断するコンパレータ(75)(96)とからなり、
前記断線・短絡検知手段(181)は、第１のオペアンプ(184)及び第２のオペアンプ(185)の出力どうしを接続し、第１のオペアンプ(184)の出力と非反転入力との間に第１の抵抗(186)と第２の抵抗(187)を直列にして接続し、第１のオペアンプ(184)の非反転入力と第２のオペアンプ(185)の反転入力との間に第３の抵抗(188)を接続し、第２のオペアンプ(185)の反転入力とグランドとの間に第４の抵抗(189)を接続し、第１のオペアンプ(184)の反転入力とグランドとの間にコンデンサ(183)を接続し、第１のオペアンプ(184)の反転入力と第２のオペアンプ(185)の非反転入力とを接続し、前記第１の抵抗(186)と第２の抵抗(187)との中点に前記第２の電源部より直流電圧を加えるとともに第１のオペアンプ(184)の反転入力に前記凍結温度検知センサ(31)と前記センサ用抵抗(150)の中点から取り出した電圧を入力させたことを特徴とするヒータ異常検出回路。
【請求項２】
前記ヒータ駆動電流検出手段のコンパレータ(75)(96)は、第３のオペアンプ(77)の出力と非反転入力との間に、直列に接続された第５、第６の抵抗(78)(79)と第７の抵抗(80)とを並列に接続したものを接続され、さらに前記第３のオペアンプ(77)の非反転入力とグランドとの間に第８の抵抗(83)を接続され、前記第３のオペアンプ(77)の非反転入力と反転入力の間に第２のコンデンサ(81)が接続され、前記第３のオペアンプ(77)の反転入力とグランドの間に第３のコンデンサ(82)が接続されたものであり、前記第５の抵抗(78)と前記第６の抵抗(79)との間に前記第２の電源部より直流電圧を印加し、前記整流平滑回路(59)(94)の出力が前記第３のオペアンプ(77)の反転入力に入力されていることを特徴とする、請求項１に記載のヒータ異常検出回路。
【請求項３】
前記凍結温度検知センサ(31)と前記センサ用抵抗(150)の中点から取り出した電圧を所定電圧と比較することで２値化して出力するリレー用コンパレータ(158)を有し、
前記リレー駆動手段(169)は、複数個のリレー(170)(171)とフライホイルダイオード(176)を並列に接続し、その上端に第９の抵抗(175)を介して前記第２の電源部より直流電圧を印加するとともに、その下端をエミッタ接地されたトランジスタ(177)のコレクタに接続し、前記トランジスタ(177)のベースを並列にした第４のコンデンサ(173)及び第１０の抵抗(174)を介してグランドに接続し、前記トランジスタ(177)のベースに前記リレー用コンパレータ(158)の出力を入力させたものであることを特徴とする、請求項１又は２に記載のヒータ異常検出回路。
【請求項４】
前記リレー用コンパレータ(158)は、第４のオペアンプ(160)の出力と非反転入力との間に、直列に接続された第１１、第１２の抵抗(164)(165)と第１３の抵抗(166)とを並列に接続したものを接続され、さらに前記第４のオペアンプ(160)の非反転入力とグランドとの間に第１４の抵抗(163)を接続され、前記第４のオペアンプ(160)の非反転入力と反転入力の間に第５のコンデンサ(161)が接続され、前記第４のオペアンプ(160)の反転入力とグランドの間に第６のコンデンサ(162)が接続されたものであり、前記第１１の抵抗(164)と前記第１２の抵抗(165)との間に前記第２の電源部より直流電圧を印加し、前記凍結温度検知センサ(31)と前記センサ用抵抗(150)の中点の電圧が前記第４のオペアンプ(160)の反転入力に入力されていることを特徴とする、請求項３に記載のヒータ異常検出回路。
【請求項５】
入水路から入水した水を加熱して湯を出湯する給湯器であって、
加熱により内部もしくは配管中の水の凍結を防止するためのヒータ(25)(26)と、周囲温度を検知するための凍結温度検知センサ(31)と、前記ヒータ(25)(26)の断線と前記凍結温度検知センサ(31)の断線及び短絡を検知するための請求項１〜４のうちいずれか１項に記載のヒータ異常検出回路とを備えた給湯器。
【発明の詳細な説明】
【０００１】
【発明の属する技術分野】
本発明は、ヒータ異常検出回路及びそれを用いた給湯器に関する。特に、スイッチによってオン、オフされるヒータの断線や、周囲温度を検知する温度センサの断線や短絡等の異常を検出するためのヒータ異常検出回路に関する。また、温水を供給する熱源機の内外に設けられた凍結防止用のヒータの断線や、周囲温度を検知する温度センサの断線や短絡等の異常を検出するために、当該ヒータ異常検出回路を用いた給湯器に関する。
【０００２】
【従来の技術とその解決課題】
寒冷地において、マンションのベランダやビルの屋上などにボイラ式の熱源機を設置する場合がある。このような場合には、出湯停止時や温水が循環していないとき、配管等が凍結する恐れがあるので、通常はボイラハウス内に熱源機を設置している。さらに、熱源機に接続された配管等の凍結を防止するため、熱源機外部の配管の回りに凍結防止用ヒータを巻き付けてあり、凍結温度検出用の温度センサが凍結予防温度に達したことを検知すると、ヒータに通電して配管を加熱することにより配管の凍結を防止している。
【０００３】
しかし、ヒータは使用によって劣化するので、断線が起き易い。ヒータが断線しているのに気が付かないでいると、熱源機の設置場所の温度が凍結予防温度以下に下がったときに配管が凍結し、破損する恐れがある。
【０００４】
ヒータの断線や短絡等の異常が発生した場合、これを検出するためには、一般に、ヒータの断線を検知する回路を設ける。ヒータ断線検知回路は、断線によってヒータ回路に電流が流れなくなったり、短絡によって過大電流が流れたりするのを検出するものであるが、ヒータ回路のスイッチがオフになっている場合にはもともとヒータ回路に電流が流れていないので、スイッチがオフの場合には、ヒータの断線や短絡等を検出することはできない。
【０００５】
従って、このようなヒータ断線検出回路にあっては、ヒータ回路に電流が流れていないことを検出した場合でも、スイッチのオン／オフ状態と照らし合わせなければ断線か否か判定することができず、ヒータ断線検出回路単独では断線の判定ができなかった。しかも、スイッチがオフの場合には、ヒータに断線や短絡が発生していても検出することができなかった。
【０００６】
本発明は、上記の従来例の問題点に鑑みてなされたものであり、その目的とするところは、ヒータのスイッチのオン、オフにかかわりなくヒータの断線を検出することができ、また温度センサの断線と短絡を検出することができるヒータ異常検出回路を提供することにある。また、単独でヒータや温度センサの断線、短絡を検出することができるヒータ異常検出回路を提供することにある。
【０００７】
【課題を解決するための手段及びその作用】
請求項１に記載したヒータ異常検出回路は、ヒータと、前記ヒータに通電するための回路を開閉するスイッチと、前記スイッチと並列に接続され、前記スイッチと比較して通電抵抗値が大きくて前記スイッチがオフのときに小電流によって作動する信号回路と、前記ヒータに加熱用の電流が流れたことを検出するヒータ駆動電流検出手段と、前記信号回路が作動していることを検知する信号回路作動検知手段と、周囲温度により抵抗値が変化する凍結温度検知センサと、前記スイッチをオン、オフ制御するリレーと、前記凍結温度検知センサにより周囲温度が所定温度以下となったことを検知したときに前記リレーを駆動して前記スイッチを閉じるリレー駆動手段と、前記凍結温度検知センサが断線又は短絡したことを検知する断線・短絡検知手段とを備え、前記ヒータ、前記スイッチ及び前記信号回路には第１の電源部から交流電圧を供給し、前記信号回路作動検知手段、前記ヒータ駆動電流検出手段、凍結温度検知センサ、前記リレー駆動手段及び前記断線・短絡検知手段には第１の電源部よりも電圧の低い第２の電源部から直流電圧を供給し、前記信号回路作動検知手段が前記信号回路の作動を検知せず、かつ、前記ヒータ駆動電流検出手段がヒータ加熱用の電流を検出しない場合には、前記ヒータが断線していると判断し、前記凍結温度検知センサとセンサ用抵抗とを直列接続したものを前記第２の電源部とグランドとの間に接続し、前記断線・短絡検知手段は、前記凍結温度検知センサと前記センサ用抵抗との中点から取り出した電圧が所定電圧範囲の最大値よりも大きいか、あるいは所定電圧範囲の最小値よりも小さい場合には、前記凍結温度検知センサが断線又は短絡していると判断することを特徴とするヒータ異常検出回路において、前記ヒータ駆動電流検出手段は、前記ヒータに流れる電流を検出するための電流センサと、前記電流センサに流れる電流を整流平滑化する整流平滑回路と、２つの基準電位を有し前記整流平滑回路の出力が小さな値の基準電位をそれよりも大きな側からそれよりも小さな側へ通過したときにヒータ加熱用の電流を検出しないと判断し、かつ、前記整流平滑回路の出力が大きな値の基準電位をそれよりも小さな側からそれよりも大きな側へ通過したときにヒータ加熱用の電流を検出していると判断するコンパレータとからなり、前記断線・短絡検知手段は、第１のオペアンプ及び第２のオペアンプの出力どうしを接続し、第１のオペアンプの出力と非反転入力との間に第１の抵抗と第２の抵抗を直列にして接続し、第１のオペアンプの非反転入力と第２のオペアンプの反転入力との間に第３の抵抗を接続し、第２のオペアンプの反転入力とグランドとの間に第４の抵抗を接続し、第１のオペアンプの反転入力とグランドとの間にコンデンサを接続し、第１のオペアンプの反転入力と第２のオペアンプの非反転入力とを接続し、前記第１の抵抗と第２の抵抗との中点に前記第２の電源部より直流電圧を加えるとともに第１のオペアンプの反転入力に前記凍結温度検知センサと前記センサ用抵抗の中点から取り出した電圧を入力させたことを特徴とするヒータ異常検出回路。
【０００８】
ここで信号回路は、作動時に光、音、電磁界などによる信号を発生させる回路であるが、小電流で作動するものであるので、電磁リレーのように可動部分を持たないものが望ましい。
【０００９】
請求項１に記載したヒータ異常検出回路にあっては、周囲温度により抵抗値が変化する凍結温度検知センサと、前記スイッチをオン、オフ制御するリレーと、前記凍結温度検知センサにより周囲温度が所定温度以下となったことを検知したときに前記リレーを駆動して前記スイッチを閉じるリレー駆動手段とを有しているので、水道管などが凍結する恐れのある温度になると凍結温度検知センサでこれを検知してリレー駆動手段でリレーを駆動してスイッチを閉じ、自動的にヒータを発熱させることができる。しかも、スイッチのオフ時に小電流で作動する信号回路と該スイッチとが並列に接続されていて、さらにヒータと直列に接続されているので、ヒータが断線した場合には、スイッチをオンにしていてもオフにしていても、ヒータに電流が流れず、信号回路が作動しない。これに対し、ヒータが断線していない場合には、スイッチがオンになると、ヒータに電流が流れ、スイッチがオフになると、信号回路が作動する。
【００１０】
従って、このヒータ異常検出回路にあっては、スイッチがオンになっていてもオフになっていても、ヒータの通電情報と信号回路の作動情報に基づいてヒータの断線を判別することができる。すなわち、スイッチのオン、オフにかかわりなく、ヒータに電流が流れておらず、しかも信号回路が作動していない場合には、ヒータが断線していると判断することができる。
【００１１】
また、凍結温度検知センサとセンサ用抵抗とを直列接続したものを所定電源電圧とグランドとの間に接続し、断線・短絡検知手段は、凍結温度検知センサとセンサ用抵抗との中点から取り出した電圧が所定電圧範囲よりも大きいか、あるいは所定電圧範囲よりも小さい場合には、凍結温度検知センサが断線又は短絡していると判断するので、凍結温度センサが断線したり短絡したりした場合にも、これを自動的に検知することができる。
さらに、ヒータ駆動電流検出手段は、ヒータに流れる電流を検出するための電流センサと、電流センサにながれる電流を整流平滑化する整流平滑回路と、２つの基準電位を有し整流平滑回路の出力が小さな値の基準電位をそれよりも大きな側からそれよりも小さな側へ通過したときにヒータ加熱用の電流を検出しないと判断し、かつ、前記整流平滑回路の出力が大きな値の基準電位をそれよりも小さな側からそれよりも大きな側へ通過したときにヒータ加熱用の電流を検出していると判断するコンパレータとからなるので、整流平滑回路の出力電圧が変動したときに、コンパレータの出力がハンチング動作するのを防止することができる。
【００１２】
請求項２に記載したヒータ異常検出回路は、請求項１に記載したヒータ異常検出回路における前記ヒータ駆動電流検出手段のコンパレータが、第３のオペアンプの出力と非反転入力との間に、直列に接続された第５、第６の抵抗と第７の抵抗とを並列に接続したものを接続され、さらに前記第３のオペアンプの非反転入力とグランドとの間に第８の抵抗を接続され、前記第３のオペアンプの非反転入力と反転入力の間に第２のコンデンサが接続され、前記第３のオペアンプの反転入力とグランドの間に第３のコンデンサが接続されたものであり、前記第５の抵抗と前記第６の抵抗との間に前記第２の電源部より直流電圧を印加し、前記整流平滑回路の出力が前記第３のオペアンプの反転入力に入力されたものである。
【００１３】
請求項３に記載したヒータ異常検出回路は、請求項１又は２に記載したヒータ異常検出回路において、前記凍結温度検知センサと前記センサ用抵抗との中点から取り出した電圧を所定電圧と比較することで２値化して出力するリレー用コンパレータを有し、前記リレー駆動手段は、複数個のリレーとフライホイルダイオードを並列に接続し、その上端に第９の抵抗を介して前記第２の電源部より直流電圧を印加するとともに、その下端をエミッタ接地されたトランジスタのコレクタに接続し、前記トランジスタのベースを並列にした第４のコンデンサ及び第１０の抵抗を介してグランドに接続し、前記トランジスタのベースに前記リレー用コンパレータの出力を入力させたものであることを特徴としている。
【００１４】
請求項４に記載したヒータ異常検出回路は、請求項３に記載したヒータ異常検出回路における前記リレー用コンパレータが、第４のオペアンプの出力と非反転入力との間に、直列に接続された第１１、第１２の抵抗と第１３の抵抗とを並列に接続したものを接続され、さらに前記第４のオペアンプの非反転入力とグランドとの間に第１４の抵抗を接続され、前記第４のオペアンプの非反転入力と反転入力の間に第５のコンデンサが接続され、前記第４のオペアンプの反転入力とグランドの間に第６のコンデンサが接続されたものであり、前記第１１の抵抗と前記第１２の抵抗との間に前記第２の電源部より直流電圧を印加し、前記凍結温度検知センサと前記センサ用抵抗の中点の電圧が前記第４のオペアンプの反転入力に接続されていることを特徴としている。
【００２０】
請求項５に記載した給湯器は、入水路から入水した水を加熱して湯を出湯する給湯器であって、加熱により内部もしくは配管中の水の凍結を防止するためのヒータと、周囲温度を検知するための凍結温度検知センサと、前記ヒータの断線と前記凍結温度検知センサの断線及び短絡を検知するための請求項１〜３のうちいずれか１項に記載のヒータ異常検出回路とを備えたものである。
【００２１】
請求項５に記載した給湯器にあっては、雰囲気温度が所定温度以下に下がると、スイッチがオンになってヒータが発熱し、内部や配管中の水の凍結を防止することができる。
【００２２】
しかもこの給湯器では、スイッチのオフ時に小電流で作動する信号回路（例えば、フォトカプラの発光部を用いたもの）と該スイッチとが並列に接続されていて、さらにヒータと直列に接続されているので、ヒータが断線した場合には、スイッチをオンにしていてもオフにしていても、ヒータに電流が流れず、信号回路が作動しない。これに対し、ヒータが断線していない場合には、スイッチがオンになると、ヒータに電流が流れ、スイッチがオフになると、信号回路が作動する。
【００２３】
従って、この給湯器にあっては、スイッチがオンになっていてもオフになっていても、ヒータの通電情報と信号回路の作動情報に基づいてヒータの断線を判別することができる。すなわち、スイッチのオン、オフにかかわりなく、ヒータに電流が流れておらず、しかも信号回路が作動していない場合には、ヒータが断線していると判断することができる。
【００２４】
また、この給湯器にあっては、周囲温度を検知する凍結温度検知センサが断線したり短絡したりした場合には、これを自動的に検出することができる。
【００２５】
【発明の実施の形態】
（第１の実施形態）
図１は熱源機１を中心とした温水供給システムの構成を詳細に示す図である。熱源機１の下部には燃焼室２が設けられており、燃焼室２の側部ではオイルバーナー３が燃焼するようになっている。オイルバーナー３で燃焼させられたオイルの燃焼ガスは、燃焼室２からその上の熱交換部４を通って排気部５へ至り、排気管６から外部へ排出される。熱源機１内部の燃焼室２及び熱交換部４の外側には温水を貯める貯湯槽７が設けられており、貯湯槽７内の湯は燃焼室２及び熱交換部４の熱によって高温に加熱されている。また、貯湯槽７の上部と下部とは循環路８によって結ばれており、循環路８に設けられたポンプ９を運転することによって貯湯槽７内の湯を循環させるようにしている。なお、暖房器具を用いる場合には、暖房器具の温水配管は、この循環路８から延出されている暖房配管接続部１０ａ、１０ｂに接続できるようになっている。
【００２６】
また、貯湯槽７の内部では、熱交換部４を囲むようにして熱交換用の風呂コイル１１が設けられており、風呂コイル１１と浴槽１２のバス金具１３（図２に示す。）との間には風呂往き管１４及び風呂戻り管１５が接続されており、風呂循環ポンプ１６を運転して浴槽１２の湯を風呂戻り管１５→風呂コイル１１→風呂往き管１４という順路で循環させることにより、浴槽１２内の湯を追焚きできるようにしている。
【００２７】
同様に、貯湯槽７の内部で、熱交換部４を囲むようにして熱交換用の給湯コイル１７が設けられており、給湯コイル１７の両端には給水管１８及び給湯管１９が接続され、給水管１８と給湯管１９の間には給湯バイパス管２０が接続されている。給湯管１９と給湯バイパス管２０とはミキシング用水量サーボ弁２１に接続されており、給水管１８から供給された水は給湯コイル１７側とミキシング用水量サーボ弁２１側とへ送られ、給湯コイル１７側へ送られた水は給湯コイル１７で加熱されて給湯管１９へ出湯される。給湯管１９へ出湯された湯と給湯バイパス管２０からミキシング用水量サーボ弁２１へ送られた水とは、ミキシング用水量サーボ弁２１で混合される。ミキシング用水量サーボ弁２１で設定温度に調節された湯は、出湯管２２からカラン等の出湯端末２３へ供給される。また、出湯管２２から出湯される湯は、落とし込み管２４を介して風呂戻り管１５及び風呂往き管１４から浴槽１２内に落とし込まれる。
【００２８】
上記のような温水供給システムにおいては、熱源機１の外部において給湯路（給水管１８や給湯管１９、出湯管２２等）に凍結防止用ヒータ２５を設けたり、風呂追焚き回路（風呂往き管１４や風呂戻り管１５、風呂循環ポンプ１６近傍）に凍結防止用ヒータ２６を設けたり、熱源機１の内部においてオイルバーナー３の近傍に凍結防止用ヒータ２７を設けたり、適宜必要な位置に凍結防止用のヒータを設ける。また、図１には示していないが、熱源機１の内部には凍結予防温度を検出して、温水供給システムで凍結防止運転を行わせるための凍結温度検知センサ３１（図２に示す。）を設ける。
【００２９】
図２は上記熱源機１を屋外に設置した状態を示している。熱源機１はマンションのベランダや屋上等の屋外に設置され、専用のボイラハウス２８内に納められている。凍結防止用ヒータ（以下、給湯側ヒータという。）２５は、ボイラハウス２８内で給湯路の給水管１８と給湯管１９に巻きつけられ、金属ホイルや断熱材によって覆われている。凍結防止用ヒータ（以下、浴槽側ヒータという。）２６は、風呂追焚き回路の風呂往き管１４と風呂戻り管１５に設けられ、金属ホイルや断熱材によって覆われている。また、凍結防止用ヒータ（以下、器具内ヒータという。）２７は、熱源機１の内部に設けられている。
【００３０】
ボイラハウス２８内には、熱源機１と共に異常検出ユニット３０が設けられており、異常検出ユニット３０には給湯側ヒータ２５と浴槽側ヒータ２６と器具内ヒータ２７が接続されている。異常検出ユニット３０は各ヒータ２５、２６、２７を通電制御すると共にそれらの断線及び短絡を監視している。なお、以下の説明においては、異常検出ユニット３０による断線の監視は、給湯側ヒータ２５と浴槽側ヒータ２６についてのみ行うものとするが、器具内ヒータ２７についても断線を監視するようにしてもよい。異常検出ユニット３０は、熱源機１内のメインコントローラ２９と信号の送受信を行えるよう信号線３２によって結ばれている。さらに、熱源機１の近傍には、周囲温度を監視し凍結予防温度を検知するための温度センサ（以下、凍結温度検知センサという。）３１が設けられており、凍結温度検知センサ３１の検知温度は異常検出ユニット３０に入力されている。
【００３１】
異常検出ユニット３０は給湯側ヒータ２５と浴槽側ヒータ２６の断線を監視しており、給湯側ヒータ２５と浴槽側ヒータ２６のうち少なくとも一方が断線すると、メインコントローラ２９へ異常検出信号を出力し、しかも、給湯側ヒータ２５のみが断線したときと、浴槽側ヒータ２６のみが断線したときと、双方が断線したときとで異なるレベルのデジタル信号（ＨｉｇｈあるいはＬｏｗ）を出力する。その他、図４のナンドゲート９２、９９からの出力信号を出力回路１３０に入力して、その入力内容に応じて出力回路１３０から数ビットのデジタル信号により、給湯側のヒータ２５の断線、浴槽側ヒータ２６の断線、双方の断線で異なる種類のデジタル信号を出力するようにすることもできる。
【００３２】
異常検出ユニット３０は、メインコントローラ２９を介して台所に設置されたリモートコントローラ（台所用リモコン）３４と浴室に設置されたリモートコントローラ（風呂用リモコン）３５に接続されており、異常検出ユニット３０からの信号に基づいてメインコントローラ２９から台所用リモコン３４や風呂用リモコン３５に異常検出信号が出力されると、各リモコン３４、３５の時刻表示部３６、３８から時刻表示が消えて、代わりにエラー表示される。従って、このエラー表示によって給湯側ヒータ２５又は浴槽側ヒータ２６に異常が起きていることが報知される。また、エラー表示だけでなく、スピーカ３７、３９から音で警報を鳴らすようにしてもよい。
【００３３】
以下においては、この異常検出ユニット３０の構成のうち、電気回路を中心とする部分を説明する。図４は上記異常検出ユニット３０における、給湯側ヒータ２５と浴槽側ヒータ２６の断線を検出するためのヒータ異常検出回路を示す概略図、図１１は凍結温度検知センサ３１が所定温度（凍結予防温度）以下の温度を検知したときにリレー１７０、１７１を作動させて図４のヒータ異常検出回路におけるスイッチ４１及び４８をオンにするためのヒータ駆動回路を示す概略図である。まず、ヒータ駆動回路から説明する。ヒータ駆動回路は、図１１に示すように、主として凍結温度検知センサ３１、バッファ回路１５１、コンパレータ１５８、バッファ１６７、リレー駆動回路１６９から構成されている。
【００３４】
凍結温度検知センサ３１は負特性サーミスタ素子（ＮＴＣ）によって構成されている。凍結温度検知センサ３１の両側には抵抗１４８、１５０が直列に接続され、それらの一端に５ボルトの電源電圧が印加されると共に他端がグランドに接続されている。そして、凍結温度検知センサ３１とその接地側の抵抗１５０との間の接続点の電圧が次段のバッファ回路１５１へ出力される。凍結温度検知センサ３１は負特性であるから、凍結温度検知センサ３１の検知温度が下がると、凍結温度検知センサ３１の抵抗値が高くなり、凍結温度検知センサ３１と抵抗１５０の間からの出力電圧は低くなる。
【００３５】
図１２はバッファ回路１５１の構成を表している。このバッファ回路１５１はオペアンプ１５５によって構成されており、オペアンプ１５５は出力と反転入力との間に抵抗１５７を接続されてバッファ回路となっている。また、オペアンプ１５５の非反転入力は、コンデンサ１５６を介してグランドに接地されている。２つのダイオード１５３、１５４は同じ方向で直列に接続されてリミッタ回路となっており、逆バイアスとなるようにして５ボルトの電源電圧端子とグランドとの間に挿入されている。凍結温度検知センサ３１と抵抗１５０の中点は、抵抗１５２を介してダイオード１５３、１５４間に接続されており、さらにダイオード１５３、１５４間の電圧はオペアンプ１５５の非反転入力に入力されている。
【００３６】
しかして、凍結温度検知センサ３１と抵抗１５０との間から出力された電圧信号は、ダイオード１５３、１５４間を通過することによって０ボルトと５ボルトでクリップされ、コンデンサ１５６で交流成分（ノイズ）を除去された後、オペアンプ１５５から次段のコンパレータ１５８へ出力される。
【００３７】
図１３はコンパレータ１５８の構成を具体的に示している。このコンパレータ１５８は、オペアンプ１６０の出力と非反転入力との間に、直列に接続された抵抗１６４、１６５と抵抗１６６とを並列に接続したものを接続され、さらに非反転入力とグランドとの間に抵抗１６３を接続され、シュミットトリガ型のコンパレータとなっている。また、抵抗１６４、１６５間には５ボルトの電源電圧が印加されている。バッファ回路１５１からの信号は、抵抗１５９を通ってオペアンプ１６０の反転入力へ送出されている。オペアンプ１６０の非反転入力と反転入力の間にはコンデンサ１６１が接続され、反転入力とグランドの間にもコンデンサ１６２が接続されており、オペアンプ１６０の非反転入力と反転入力はコンデンサ１６１、１６２によって交流成分を除去されている。
【００３８】
しかして、バッファ回路１５１からオペアンプ１６０の反転入力へ入力された信号は、非反転入力の電位（基準電位）と比較され、その大小によってオペアンプ１６０からはＨ（ハイ）レベルの電圧信号又はＬ（ロー）レベルの電圧信号が出力される。ただし、オペアンプ１６０の非反転入力には抵抗１６４〜１６６を介して出力電圧が正帰還されているので、非反転入力の基準電位は出力電圧によって異なり、コンパレータ１５８はヒステリシス動作する。すなわち、オペアンプ１６０の出力がＨレベルの場合の基準電位（非反転入力電位）をＶ２、出力がＬの場合の基準電位をＶ１（＜Ｖ２）とすると、オペアンプ１６０の出力がＨレベルの場合には、反転入力へ入力された信号電圧が高い方の基準電圧Ｖ２を越えた時に、オペアンプ１６０の出力はＬレベルに変化する。逆に、オペアンプ１６０の出力がＬレベルの場合には、反転入力の信号電圧が下側の基準電圧Ｖ１よりも下がった時に、オペアンプ１６０の出力はＨレベルに変化する。
【００３９】
上記コンパレータ１５８の基準電圧Ｖ１，Ｖ２は電源電圧と各抵抗１６３〜１６６等の値によって決められており、凍結温度検知センサ３１の検知温度に換算して３℃と８℃（基準温度）程度に定められている。従って、凍結温度検知センサ３１により検出されている周囲温度が凍結予防温度（下側の基準温度）３℃よりも下がってコンパレータ１５８の出力がＨレベルとなると、周囲温度が上側の基準温度８℃よりも高くなるまではＨレベルに維持され、上側の基準温度８℃を越えたときにコンパレータ１５８の出力はＬレベルに変化する。
【００４０】
コンパレータ１５８の出力は、アンドゲートによって構成されたバッファ１６７を経てリレー駆動回路１６９に入力されている。
【００４１】
図１４はリレー駆動回路１６９の構成を示す図である。２つのリレー（コイル）１７０、１７１とフライホイルダイオード１７６は互いに並列に接続されており、その上端には抵抗１７５を介して１５ボルトの電圧が印加され、その下端はエミッタ接地されたトランジスタ１７７のコレクタに接続されている。このトランジスタ１７７のベースには、バッファ１６７からの出力が抵抗１７２を介して入力されており、トランジスタ１７７のベースは、並列になったコンデンサ１７３及び抵抗１７４を介してグランドに接地されている。
【００４２】
周囲温度が低下してきて凍結温度検知センサ３１の検出温度が凍結予防温度３℃よりも下がると、凍結温度検知センサ３１の抵抗が大きくなるので、バッファ回路１５１からの出力電圧が低くなり、コンパレータ１５８の出力がＨレベルとなり、バッファ１６７の出力はＨレベルとなるから、トランジスタ１７７がオンになり、抵抗１７５を介して両リレー１７０、１７１に電流が流れ、リレー１７０、１７１が励磁される。この結果、図４のスイッチ４１（リレー１７０の接点）とスイッチ４８（リレー１７１の接点）とが閉じてオンになる。
【００４３】
また、凍結温度検知センサ３１の検出温度が上側の基準温度８℃よりも高くなると、コンパレータ１５８の出力がＬレベルとなり、バッファ１６７の出力はＬレベルとなるから、トランジスタ１７７がオフになり、リレー１７０、１７１に流れる電流が遮断され、リレー１７０、１７１が消磁される。この結果、図４のスイッチ４１（リレー１７１の接点）とスイッチ４８（リレー１７１の接点）が開いてオフになる。なお、リレー１７０、１７１が消磁される際に流れる誘導電流はフライホイルダイオード１７６に流れて消耗される。
【００４４】
次に、図４に示したヒータ異常検出回路を説明する。リレー１７０のスイッチ４１にはフォトカプラの発光部４５を含む点灯回路を並列に接続し、これに給湯側ヒータ２５を直列に接続している。同様に、リレー１７１のスイッチ４８とフォトカプラの発光部５２を含む点灯回路とを並列に接続し、これに浴槽側ヒータ２６を直列に接続している。前者の点灯回路は、フォトカプラの発光部４５、コンデンサ４６、抵抗４７を並列に接続したものと、２つの抵抗４３、４４を並列に接続したものとを直列に接続して構成されており、抵抗４３、４４によって点灯回路の通電抵抗（通電時の抵抗値）を大きくしている。後者の点灯回路も、フォトカプラの発光部５２、コンデンサ５３、抵抗５４を並列に接続したものと、２つの抵抗５０、５１を並列に接続したものとを直列に接続して構成されており、抵抗５０、５１によって点灯回路の通電抵抗を大きくしている。これらの給湯側ヒータ２５を含む並直列回路と、浴槽側ヒータ２６を含む並直列回路と、コンデンサ５７とを並列に接続し、その両端にブレーカ５６を介して交流１００ボルトの電源５５をつないでいる。
【００４５】
従って、凍結温度検知センサ３１の検出温度が凍結予防温度よりも下がってリレー駆動回路１６９によりリレー１７０が励磁され、スイッチ４１が閉じられた場合には、給湯側ヒータ２５に交流電流が流れて発熱し、給湯路の配管の凍結を防止する。一方、発光部４５を含む点灯回路の通電抵抗はスイッチ４１の通電抵抗に比べて非常に大きくなっているので、スイッチ４１が閉じられている場合には、点灯回路に電流が流れず、フォトカプラの発光部４５は発光しない。
【００４６】
また、スイッチ４１が開かれている場合には、点灯回路を通じて給湯側ヒータ２５に電流が流れる。ただし、フォトカプラの発光部４５と直列に抵抗値の大きな抵抗４３、４４が接続されていて点灯回路の通電抵抗が大きくなっているため、フォトカプラの発光部４５は微弱電流によって発光するが、給湯側ヒータ２５は実質的にオフになっていて発熱しない。
【００４７】
同様に、リレー１７１の励磁によってスイッチ４８が閉じられた場合には、浴槽側ヒータ２６に交流電流が流れて発熱し、浴槽追焚き回路の配管の凍結を防止する。一方、スイッチ４８が開かれている場合には、フォトカプラの発光部５２と直列に抵抗値の大きな抵抗５０、５１が接続されているため、フォトカプラの発光部５２は微弱電流によって発光するが、浴槽側ヒータ２６は実質的に発熱しない。
【００４８】
給湯側ヒータ２５に交流電流を流す電流通路には、ＣＴ電流センサ５８の検出コイルが巻かれている。ＣＴ電流センサ５８は、給湯側ヒータ２５に流れる交流電流を検出することによって給湯側ヒータ２５の通電／非通電状態を判別する。すなわち、スイッチ４１が閉じていて給湯側ヒータ２５が通電状態の場合には、大きな電流が検出され、ＣＴ電流センサ５８に電流が流れる。スイッチ４１が開いた非通電状態（微弱電流の流れている状態）の場合には、微弱な電流しか検出されないので、ＣＴ電流センサ５８にはほとんど電流が流れない。
【００４９】
ＣＴ電流センサ５８の出力は、整流平滑回路５９へ出力される。整流平滑回路５９は、図５に示すように、４つのダイオード６０、６１、６２、６３で構成されたダイオードブリッジと、ダイオードブリッジの出力とグランドの間にそれぞれ接続された抵抗６４及び電解コンデンサ６５からなる。給湯側ヒータ２５が通電状態でＣＴ電流センサ５８に電流が流れると、ＣＴ電流センサ５８に流れる電流は、ダイオードブリッジで全波整流された後、抵抗６４からグランドに流れる。ダイオードブリッジの出力電圧は、電解コンデンサ６５によって平滑化されて増幅回路６６へ出力される。一方、給湯側ヒータ２５が非通電状態では、整流平滑回路５９からは、ヒータ通電状態と比較して小さな電圧しか出力されない。
【００５０】
増幅回路６６は、図６に示すように、オペアンプ７０の出力と反転入力との間に負帰還抵抗７１を接続し、反転入力とグランドとの間に抵抗７２を接続することによって負帰還増幅器を構成している。オペアンプ７０の非反転入力と整流平滑回路５９の間には抵抗６７が接続され、また、オペアンプ７０の非反転入力と５ボルトの電源電圧端子との間には、逆バイアスとなるようにダイオード６８が接続され、オペアンプ７０の非反転入力とグランドとの間にはコンデンサ６９が接続されている。
【００５１】
しかして、整流平滑回路５９から出力された電圧は、抵抗６７を通り、ダイオード６８によって高電圧側を５ボルトでクリップされると共にコンデンサ６９を通じて交流成分を除去された後、オペアンプ７０の非反転入力に入力され、負帰還増幅器で電圧増幅してコンパレータ７５へ出力される。
【００５２】
コンパレータ７５は、図７に示すように構成されている。このコンパレータ７５は、オペアンプ７７の出力と非反転入力との間に、直列に接続された抵抗７８、７９と抵抗８０とを並列に接続したものを接続され、さらに非反転入力とグランドとの間に抵抗８３を接続され、シュミットトリガ型のコンパレータとなっている。また、抵抗７８、７９間には５ボルトの電源電圧が印加されている。増幅回路６６からの信号は、抵抗７６を通ってオペアンプ７７の反転入力へ送出されている。オペアンプ７７の非反転入力と反転入力の間にはコンデンサ８１が接続され、反転入力とグランドの間にもコンデンサ８２が接続されており、オペアンプ７７の非反転入力と反転入力はコンデンサ８１、８２によって交流成分を除去されている。
【００５３】
しかして、増幅回路６６からオペアンプ７７の反転入力へ入力された信号は、非反転入力の電位（基準電位）と比較され、その大小によってオペアンプ７７からはＨ（ハイ）レベルの電圧信号又はＬ（ロー）レベルの電圧信号が出力される。すなわち、ＣＴ電流センサ５８の出力は、整流平滑回路５９を経て増幅回路６６によって増幅された後、コンパレータ７５で基準電圧と比較され、ＣＴ電流センサ５８がヒータ通電状態を検出し、増幅回路６６から高い電圧が出力されている場合には、コンパレータ７５からはＬレベルの信号が出力される。スイッチ４１がオフで給湯側ヒータ２５が非通電状態となっていて増幅回路６６から電圧が出力されない場合には、コンパレータ７５からはＨレベルの信号が出力される。このコンパレータ７５からの出力は、ナンドゲート９２の一方の入力に接続されている。すなわち、給湯側ヒータ２５が断線していなければ、ナンドゲート９２の一方の入力への入力は、スイッチ４１がオンになっていて給湯側ヒータ２５が通電している状態ではＬ信号、スイッチがオフになっていて給湯側ヒータ２５が非通電（微小電流）の状態ではＨ信号となる。
【００５４】
ただし、オペアンプ７７の非反転入力には抵抗７８〜８０を介して出力電圧が正帰還されているので、非反転入力の基準電位は出力電圧によって異なり、コンパレータ７５はヒステリシス動作する。すなわち、オペアンプ７７の出力がＨレベルの場合の基準電位（非反転入力電位）をＶｈ、出力がＬの場合の基準電位をＶｌ（＜Ｖｈ）とすると、Ｖｈはヒータ通電時における増幅回路６６からの出力電圧よりも低く、Ｖｌはヒータ非通電時における増幅回路６６からの出力電圧よりも高くなるように設定されている。このため、オペアンプ７７の出力がＨレベルの場合には、反転入力へ入力された信号電圧が上側の基準電圧Ｖ２を越えた時に、オペアンプ７７の出力はＬレベルに変化する。逆に、オペアンプ７７の出力がＬレベルの場合には、反転入力の信号電圧が下側の基準電圧Ｖ１よりも下がった時に、オペアンプ７７の出力はＨレベルに変化する。このようにコンパレータ７５にヒステリシスを持たせているのは、基準電位の近傍で増幅回路６６の出力電圧が変動したときに、コンパレータ７５の出力がハンチング動作するのを防止するためである。
【００５５】
一方、スイッチ４１と並列に接続された点灯回路と光学的に結合された受光回路８４は、図８に示すように構成されている。フォトカプラの受光部８６と抵抗８５とを直列に接続し、フォトカプラの受光部８６を接地すると共に抵抗８５側に５ボルトの電源電圧を印加している。フォトカプラの受光部８６と抵抗８５との接続点には、コンデンサ８７、抵抗８８及び電界コンデンサ８９からなるπ形フィルタを接続してあり、さらにπ形フィルタの出力は抵抗９０、９１を介してグランドに接続されている。抵抗９０及び９１の中点の電圧はナンドゲート９２の他方の入力に接続されている。
【００５６】
しかして、スイッチ４１が閉じられていて給湯側ヒータ２５が通電状態となっている場合には、フォトカプラの発光部４５は発光せず、従って受光部５４も受光せずオフ状態となっているので、受光回路８４では、抵抗８５、８８、９０及び９１を通じて５ボルトの電源電圧端子からグランドに電流が流れ、５ボルトの電源電圧が抵抗８５、８８及び９０と抵抗９１で分圧された電圧、すなわちＨレベルの信号がナンドゲート９２の他方の入力端子へ出力される。これに対し、スイッチ４１が開かれていて給湯側ヒータ２５が非通電状態となっている場合には、フォトカプラの発光部４５には大きな抵抗４３、４４を介して微小電流が流れ、フォトカプラの発光部４５が発光し、受光部８６は受光によって導通状態となるので、抵抗８５を通して５ボルトの電源電圧端子からグランドに電流が流れ、抵抗８８、９０及び９１には電流は流れないので、ナンドゲート９２の他方の入力端子には、Ｌレベル（０ボルト）の信号が出力される。
【００５７】
すなわち、給湯側ヒータ２５が断線していない場合には、ナンドゲート９２の他方の入力端子への入力は、スイッチ４１がオンになっていて給湯側ヒータ２５が通電状態となっているときにはＨ信号となり、スイッチ４１がオフになっていて給湯側ヒータ２５が非通電の状態となっているときにはＬ信号となる。
【００５８】
従って、給湯側ヒータ２５が断線していない場合には、スイッチ４１がオンになっていて給湯側ヒータ２５が通電発熱しているときも、スイッチ４１がオフになっていて給湯側ヒータ２５が非通電状態で発熱していないときも、ナンドゲート９２の入力はＨ信号とＬ信号の組み合わせになるので、給湯側ヒータ２５が断線していない場合には、ナンドゲート９２の出力は常にＨ信号となる。
【００５９】
これに対し、給湯側ヒータ２５が断線した場合を考えると、スイッチ４１がオンになっていてもオフになっていても給湯側ヒータ２５には電流が流れず、ＣＴ電流センサ４９によって電流が検出されないので、（スイッチ４１がオフになっている場合と同様な動作で）ナンドゲート９２への一方の入力は常にＨ信号となる。一方、給湯側ヒータ２５が断線した場合には、スイッチ４１がオンになっていてもオフになっていてもフォトカプラの発光部４５は発光しないので、受光部８６も非受光状態となり、ナンドゲート９２への他方の入力は常にＨ信号となる。従って、給湯側ヒータ２５が断線した場合には、スイッチ４１のオン、オフにかかわりなく、ナンドゲート９２の入力はいずれもＨ信号となるので、ナンドゲート９２の出力は常にＬ信号となる。
【００６０】
よって、図４に示すヒータ異常検出回路における給湯側ヒータ２５の断線の具体的な検出動作は次のようになる。スイッチ４１がオンになっているときは、ＣＴ電流センサ５８の検出動作に基づき判断し、スイッチ４１がオフのときには、フォトカプラ４５、８６の検出動作により判断する。まず、スイッチ４１がオフになっているときの検出動作について説明すると、給湯側ヒータ２５が断線していないときには、フォトカプラの発光部４５に微小電流が流れてフォトカプラの受光部８６をオンにし、ナンドゲート９２にＬ信号を入力し、ナンドゲート９２からＨ信号を出力する。しかし、給湯側ヒータ２５が断線しているときには、フォトカプラの発光部４５に電流は流れず、フォトカプラの受光部８６がオフするので、ナンドゲート９２にＨ信号を入力する。このときＣＴ電流センサ５８は電流を検出せず、コンパレータ７５からナンドゲート９２にＨ信号を出力しているので、ナンドゲート９２からはＬ信号が出力され、断線として処理される。
【００６１】
一方、スイッチ４１がオンになっているときには、フォトカプラの発光部４５には電流が流れず、フォトカプラの受光部８６はオフになってナンドゲート９２へＨ信号を出力している。そして、給湯側ヒータ２５が断線していない場合には、給湯側ヒータ２５に電流が流れているためＣＴ電流センサ４９は電流を検出してコンパレータ７５からナンドゲート９２にＬ信号を出力する。よって、給湯側ヒータ２５が断線していない場合には、ナンドゲート９２からはＨ信号が出力される。ここで、給湯側ヒータ２５が断線していると、給湯側ヒータ２５に電流が流れず、ＣＴ電流センサ５８は電流を検出しないので、コンパレータ７５からナンドゲート９２にＨ信号を出力する。このとき、給湯側ヒータ２５の断線によってフォトカプラの受光部８６はオフとなり、ナンドゲート９２にＨ信号を出力したままであるため、ナンドゲート９２からはＬ信号が出力され、断線として処理される。
【００６２】
以上の動作より、この異常検出ユニット３０においては、スイッチ４１のオン、オフにかかわらず、給湯側ヒータ２５が断線している場合にはナンドゲート９２の出力はＬ信号となり、給湯側ヒータ２５が断線していない場合には、ナンドゲート９２の出力はＨ信号となるので、ナンドゲート９２の出力によって給湯側ヒータ２５の断線の有無を監視できることが分かる。
【００６３】
同様に、浴槽側ヒータ２６に交流電流を流す電流通路にも、ＣＴ電流センサ９３の検出コイルが巻かれている。ＣＴ電流センサ９３は、浴槽側ヒータ２６に流れる交流電流を検出することによって浴槽側ヒータ２６の通電／非通電状態を判別する。すなわち、スイッチ４８が閉じていて浴槽側ヒータ２６が通電状態の場合には、大きな電流が検出され、ＣＴ電流センサ９３に電流が流れる。スイッチ４８が開いた非通電状態の場合には、微弱な電流しか検出されないので、ＣＴ電流センサ９３にはほとんど電流が流れない。
【００６４】
ＣＴ電流センサ９３の出力は、整流平滑回路９４へ出力される。整流平滑回路９４は、前記整流平滑回路５９と同じ構成（図５参照）となっている。浴槽側ヒータ２６が通電状態でＣＴ電流センサ９３に電流が流れると、ＣＴ電流センサ９３に流れる電流は、整流平滑回路９４で全波整流され、平滑化された電圧信号が増幅回路９５へ出力される。一方、浴槽側ヒータ２６が非通電状態では、整流平滑回路９４からは、ヒータ通電状態と比較して小さな電圧しか出力されない。
【００６５】
増幅回路９５は、前記増幅回路６６と同じ構成（図６）となっている。整流平滑回路９４から出力された電圧は、増幅回路９５で増幅されてコンパレータ９６へ出力される。
【００６６】
コンパレータ９６は、前記コンパレータ７５と同じ構成（図７）を有している。しかして、増幅回路９５から出力された信号は、コンパレータ９６の基準電位と比較され、その大小によってコンパレータ９６からはＨレベルの電圧信号又はＬレベルの電圧信号が出力される。すなわち、ＣＴ電流センサ９３の出力は整流平滑回路９４を経て増幅回路９５によって増幅された後、コンパレータ９６で基準電圧と比較され、ＣＴ電流センサ９３がヒータ通電状態を検出し、増幅回路９５から高い電圧が出力されている場合には、コンパレータ９６からはＬレベルの信号が出力される。スイッチ４８がオフで浴槽側ヒータ２６が非通電状態となっていて増幅回路９５から電圧が出力されない場合には、コンパレータ９６からはＨレベルの信号が出力される。このコンパレータ９６からの出力は、ナンドゲート９９の一方の入力に接続されている。すなわち、浴槽側ヒータ２６が断線していなければ、ナンドゲート９９の一方の入力への入力信号は、スイッチ４８がオンになっていて浴槽側ヒータ２６が通電している状態ではＬ信号、スイッチ４８がオフになっていて浴槽側ヒータ２６が非通電の状態ではＨ信号となる。
【００６７】
ただし、このコンパレータ９６もヒステリシス動作することにより、基準電位の近傍で増幅回路９５の出力電圧が変動したときに、コンパレータ９６の出力がハンチング動作するのを防止している。
【００６８】
スイッチ４８と並列に接続された点灯回路と光学的に結合された受光回路９７は、前記受光回路８４と同じ構成（図８参照）となっている。ただし、フォトカプラの発光部５２に対応する受光部を符号９８で表している。しかして、スイッチ４８が閉じられていて浴槽側ヒータ２６が通電状態となっている場合には、フォトカプラの発光部５２は発光せず、従って、その受光部９８も受光せずオフ状態となっているので、受光回路９７からナンドゲート９９の他方の入力端子へはＨレベルの信号が出力される。これに対し、スイッチ４８が開かれていて浴槽側ヒータ２６が非通電状態となっている場合には、フォトカプラの発光部５２には抵抗値の大きな抵抗５０、５１を介して微小電流が流れ、フォトカプラの発光部５２が発光し、その受光部９８は受光によって導通状態となるので、ナンドゲート９９の他方の入力端子へは、Ｌレベルの信号が出力される。
【００６９】
すなわち、浴槽側ヒータ２６が断線していない場合には、ナンドゲート９９の他方の入力端子への入力は、スイッチ４８がオンになっていて浴槽側ヒータ２６が通電状態となっているときにはＨ信号となり、スイッチ４８がオフになっていて浴槽側ヒータ２６が非通電の状態となっているときにはＬ信号となる。
【００７０】
従って、浴槽側ヒータ２６が断線していない場合には、スイッチ４８がオンになっていて浴槽側ヒータ２６が通電発熱しているときも、スイッチ４８がオフになっていて浴槽側ヒータ２６が非通電状態で発熱していないときも、ナンドゲート９９の入力はＨ信号とＬ信号の組み合わせになるので、ナンドゲート９９の出力は常にＨ信号となる。
【００７１】
これに対し、浴槽側ヒータ２６が断線した場合を考えると、スイッチ４８がオンになっていてもオフになっていても浴槽側ヒータ２６には電流が流れず、ＣＴ電流センサ９３によって電流が検出されないので、ナンドゲート９９への一方の入力は常にＨ信号となる。一方、浴槽側ヒータ２６が断線した場合には、スイッチ４８がオンになっていてもオフになっていてもフォトカプラの発光部５２は発光しないので、受光部９８も非受光状態となり、ナンドゲート９９への他方の入力は常にＨ信号となる。従って、浴槽側ヒータ２６が断線した場合には、スイッチ４８のオン、オフにかかわりなく、ナンドゲート９９の入力はいずれもＨ信号となるので、ナンドゲート９９の出力は常にＬ信号となる。
【００７２】
よって、図４に示す異常検出ユニット３０における浴槽側ヒータ２６の断線の具体的な検出動作は次のようになる。スイッチ４８がオンになっているときは、ＣＴ電流センサ９３の検出動作に基づき判断し、スイッチ４８がオフのときには、フォトカプラ５２、９８の検出動作により判断する。まず、スイッチ４８がオフになっているときの検出動作について説明すると、浴槽側ヒータ２６が断線していないときには、フォトカプラの発光部５２に微小電流が流れてフォトカプラの受光部９８をオンにし、ナンドゲート９９にＬ信号を入力し、ナンドゲート９９からＨ信号を出力する。しかし、浴槽側ヒータ２６が断線しているときには、フォトカプラの発光部５２に電流は流れず、フォトカプラの受光部９８がオフするので、ナンドゲート９９にＨ信号を入力する。このときＣＴ電流センサ９３は電流を検出せず、コンパレータ９６からナンドゲート９９にＨ信号を出力しているので、ナンドゲート９９からはＬ信号が出力され、断線として処理される。
【００７３】
一方、スイッチ４８がオンになっているときには、フォトカプラの発光部５２には電流が流れず、フォトカプラの受光部９８はオフになってナンドゲート９９へＨ信号を出力している。そして、浴槽側ヒータ２６が断線していない場合には、浴槽側ヒータ２６に電流が流れているためＣＴ電流センサ９３は電流を検出してコンパレータ９６からナンドゲート９９にＬ信号を出力する。よって、浴槽側ヒータ２６が断線していない場合には、ナンドゲート９９からはＨ信号が出力される。ここで、浴槽側ヒータ２６が断線していると、浴槽側ヒータ２６に電流が流れず、ＣＴ電流センサ９３は電流を検出しないので、コンパレータ９６からナンドゲート９９にＨ信号を出力する。このとき、浴槽側ヒータ２６の断線によってフォトカプラの受光部９８はオフとなり、ナンドゲート９９にＨ信号を出力したままであるため、ナンドゲート９９からはＬ信号が出力され、断線として処理される。
【００７４】
以上の動作より、この異常検出ユニット３０においては、スイッチ４８のオン、オフにかかわらず、浴槽側ヒータ２６が断線している場合にはナンドゲート９９の出力はＬ信号となり、浴槽側ヒータ２６が断線していない場合には、ナンドゲート９９の出力はＨ信号となるので、ナンドゲート９９の出力によって浴槽側ヒータ２６の断線の有無を監視できることが分かる。
【００７５】
給湯側ヒータ２５側のナンドゲート９２の出力と浴槽側ヒータ２６側のナンドゲート９９の出力とは、ナンドゲート１２８の入力に接続され、さらにインバータ１２９を介して出力回路１３０に接続されている。給湯側ヒータ２５、浴槽側ヒータ２６が断線している場合には、各ナンドゲート９２、９９からはＬ信号が出力されるので、給湯側ヒータ２５と浴槽側ヒータ２６のうちいずれかのヒータが断線している場合には、インバータ１２９からはＬ信号が出力される。また、給湯側ヒータ２５と浴槽側ヒータ２６のいずれも断線していない場合には、各ナンドゲート９２、９９からはＨ信号が出力されるので、給湯側ヒータ２５と浴槽側ヒータ２６のいずれも断線していない場合には、インバータ１２９からはＨ信号が出力される。
【００７６】
出力回路１３０は、図９に示すように、２つのダイオード１３２、１３３を直列に接続してリミッタ回路を構成し、これを５ボルトの電源電圧とグランドとの間に逆バイアスで接続し、インバータ１２９とダイオード１３２、１３３の中点との間に抵抗１３１を接続したものであり、ダイオード１３２、１３３間の中点からデジタル出力端子１３４が取り出されている。しかして、インバータ１２９からの出力は高電圧側を５ボルトでクリップされ、低電圧側は０ボルトでクリップされて出力され、給湯側ヒータ２５と浴槽側ヒータ２６のうちいずれかのヒータが断線している場合には、デジタル出力端子１３４からＬ信号が出力され、いずれのヒータ２５、２６も断線していない場合にはデジタル出力端子１３４からはＨ信号が出力される。そして、このデジタル出力端子１３４からＬレベルの信号が出力された場合には、前記のように台所用リモコン３４や風呂用リモコン３５に異常が表示される。
【００７７】
図１０は上記ヒータ異常検出回路やヒータ駆動回路に５ボルト及び１５ボルトの電圧を与えるための電源回路１３５を示す図である。ただし、給湯側ヒータ２５や浴槽側ヒータ２６への給電は別系統となっており、電源５５としては、例えば１００ボルトの商用電源が用いられる。入力端子１３６ａ、１３６ｂにはメインコントローラ２９から直流電圧が印加される。入力端子１３６ａと５ボルトの電源電圧端子１４７との間には、交流成分カットのためのインダクタ１３７と、定電圧レギュレータ１４２が直列に接続されており、インダクタ１３７と定電圧レギュレータ１４２の中点から１５ボルトの電源電圧端子１４６が取り出されている。また、定電圧レギュレータ１４２はグランドに接地され、並列にダイオード１４３を接続されている。定電圧レギュレータ１４２は、電源電圧端子１４６、１４７から出力される直流電圧を安定化しており、ダイオード１４３は電源電圧端子１４７の電圧が電源電圧端子１４６の電圧よりも高くならないようにしている。また、電源電圧端子１４６は、並列に接続されたコンデンサ１３８、１４１、電解コンデンサ１３９及び抵抗１４０を介してグランドに接続されている。電源電圧端子１４７は、並列に接続されたコンデンサ１４４及び電解コンデンサ１４５を介してグランドに接続されている。
【００７８】
図１５は上記のような異常検出ユニット３０を備えた温水供給システムの具体的な断線検出処理動作を表したフロー図である。メインコントローラ２９は異常検出ユニット３０によって断線が検出されたか否か監視しており（ステップＳ１）、異常検出ユニット３０から断線検出信号を受信すると、検出状態が一定時間（例えば、１０秒）継続するか否か確認する（ステップＳ２）。
【００７９】
検出状態が一定時間継続したことを確認すると、給湯側ヒータ２５又は浴槽側ヒータ２６の断線であると判断し（ステップＳ３）、その旨の故障表示ををリモコン３４、３５に表示すると共に警報を鳴らす（ステップＳ４）。このように故障表示により視覚に訴えるだけでなく、警報を併用することにより注意喚起効果を大きくでき、凍結の防止がはかれる。
【００８０】
こうして故障表示を行い、警報を鳴らした後、直ちに断線が非検出状態になっていないか再検査する（ステップＳ５）。断線の非検出状態が検知され、しかも一定時間（例えば、２秒）非検出状態が継続した場合には（ステップＳ６）、故障表示と警報を解除する（ステップＳ７）。ただし、ステップＳ５で断線検出状態のままであっても、熱源機１の運転スイッチが操作されれば（ステップＳ８）警報のみは解除する（ステップＳ９）。
【００８１】
このような処理手順によれば、断線検出状態が一定時間（例えば、１０秒間）継続した時に、故障表示し警報を鳴らすようにしているので、瞬時の誤信号による断線の誤検出を防止でき、信頼性を高めることができる。特に、警報を鳴らす場合には、誤検出防止は必須となる。
【００８２】
また、断線検出による警報中でも、運転スイッチを操作することで警報のみは解除できるようにしているので、利用者がうるさいと感じれば警報を停止させることができる。しかも、故障表示中でも熱源機の運転は可能であるため、警報を停止させて普通に熱源機１を運転させることができる。
【００８３】
さらに、いったん断線検出状態となった後も断線非検出状態が一定時間（例えば、２秒間）継続すれば故障表示及び警報を解除するようにしているので、誤検出により瞬間的に断線検出状態となり、故障表示と警報が作動しても断線非検出状態を検知することで直ちに故障表示と警報が解除され、誤検出防止がより確実になる。なお、断線検出時に比べ、断線非検出時の状態継続時間の方が短くなっていることが望ましい。断線非検出時の状態継続時間の方を短くすることにより、誤検出防止のため断線検出には十分に時間をかけたいことと、断線非検出時には直ちに正常に戻しても問題ないからである。
【００８４】
（第２の実施形態）
図１６は本発明の別な実施形態によるヒータ異常検出回路の構成を示す。このヒータ異常検出回路では、給湯側ヒータ２５又は浴槽側ヒータ２６の断線を検知すると共に、凍結温度検知センサ３１の断線又は短絡を検出しており、いずれかの異常があれば報知すると共に、その異常が給湯側ヒータ２５又は浴槽側ヒータ２６の断線であるのか、凍結温度検知センサ３１の断線又は短絡であるのかを判別できるようにしている。
【００８５】
このヒータ異常検出回路のうち、給湯側ヒータ２５の断線を検出する部分は、図４及び図５〜８に示したものと同じである。また、浴槽側ヒータ２６の断線を検出する部分も、図４及び図９〜１２に示したものと同じであるので、この部分については、同一要素には同一符号を付して説明を省略する。
【００８６】
したがって、図１６におけるナンドゲート９２からは、給湯側ヒータ２５が断線している場合にのみＬレベルの検出信号が出力され、ナンドゲート９９からは浴槽側ヒータ２６が断線している場合にのみＬレベルの検出信号が出力される。よって、インバータ１２９からは、給湯側ヒータ２５又は浴槽側ヒータ２６のいずれかが断線している場合にのみＬレベルの検出信号が出力される。出力回路１３０も図９に示したものと同じものであるので、結局、給湯側ヒータ２５又は浴槽側ヒータ２６のいずれかが断線している場合にのみ、デジタル出力端子１３４からはＬレベルの検出信号が出力される。
【００８７】
次に、ヒータ駆動回路の部分について説明する。凍結温度検知センサ３１は負特性サーミスタ素子（ＮＴＣ）によって構成されている。凍結温度検知センサ３１の両側には抵抗１４８、１５０が直列に接続され、それらの一端に５ボルトの電源電圧が印加されると共に他端がグランドに接続されている。そして、凍結温度検知センサ３１とその接地側の抵抗１５０との間の接続点の電圧が次段のバッファ回路１５１へ出力される。凍結温度検知センサ３１は負特性であるから、凍結温度検知センサ３１の検知温度が下がると、凍結温度検知センサ３１の抵抗値が高くなり、凍結温度検知センサ３１と抵抗１５０の間からの出力電圧は低くなる。
【００８８】
バッファ回路１５１は、図１２により既に説明した通りの構造であって、凍結温度検知センサ３１と抵抗１５０との間から出力された電圧信号をコンパレータ１５８とコンパレータ１８１へ出力する。
【００８９】
リレー側のコンパレータ１５８は、図１３により既に説明した通りの構造であって、ヒステリシス動作する。すなわち、コンパレータ１５８への入力電圧が上の基準電圧Ｖ２（例えば、温度に換算して８℃）を下方から上へ越えた時にコンパレータ１５８の出力はＬレベルに変化し、コンパレータ１５８への入力電圧が下の基準電圧Ｖ１（例えば、温度に換算して３℃）を上方から下へ通過した時にコンパレータ１５８の出力はＨレベルに変化する。
【００９０】
コンパレータ１５８の出力は、ナンドゲートによって構成されたインバータ１６７Ａを経てナンドゲート１６８の一方の入力に接続されている。ナンドゲート１６８の出力は図１４のような構造のリレー駆動回路１６９に接続されている。
【００９１】
コンパレータ１８１は、凍結温度検知センサ３１の断線及び短絡を検出するものであって、図１７に示すような構造を有している。このコンパレータ１８１にあっては、２つのオペアンプ１８４、１８５の出力どうしを接続し、オペアンプの１８４の反転入力とオペアンプ１８５の非反転入力とを接続している。両オペアンプ１８４、１８５の出力とオペアンプ１８４の非反転入力との間に抵抗１８６、１８７を直列にして接続し、オペアンプ１８４の非反転入力とオペアンプ１８５の反転入力との間に抵抗１８８を接続し、オペアンプ１８５の反転入力とグランドとの間に抵抗１８９を接続している。また、抵抗１８６と抵抗１８７との中点には、５ボルトの電源電圧が印加されている。
【００９２】
しかして、オペアンプ１８４は抵抗１８６、１８７によって正帰還を掛けられていてシュミットトリガ型となっており、バッファ回路１５１の出力は抵抗１８２を介してオペアンプ１８４の反転入力に接続されている。また、オペアンプ１８５は抵抗１８６、１８７、１８８によって負帰還を掛けられており、バッファ回路１５１の出力は抵抗１８２を介してオペアンプ１８５の非反転入力に接続されている。オペアンプ１８４の反転入力とオペアンプ１８５の非反転入力とグランドとの間に接続されたコンデンサ１８３は信号の交流ノイズを除去するものである。
【００９３】
オペアンプ１８４は凍結温度検知センサ３１の短絡を検出するものであって、ヒステリシス動作により２つの基準電圧（スレッショルド電圧）Ｖｓ２、Ｖｓ３を有しており、オペアンプ１８５は凍結温度検知センサ３１の断線を検出するものであって、１つの基準電圧Ｖｓ１を有している。したがって、コンパレータ１８１は、合計３つの基準電圧Ｖｓ１、Ｖｓ２、Ｖｓ３（ただし、Ｖｓ１＜＜Ｖｓ２＜Ｖｓ３）を有しており、正常な状態におけるバッファ回路１５１からの出力電圧は基準電圧Ｖｓ１とＶｓ２との中間にある。
【００９４】
しかして、凍結温度検知センサ３１が断線した場合には、バッファ回路１５１への入力電圧は０ボルトとなるから、バッファ回路１５１からの出力電圧は基準電圧Ｖｓ１よりも低くなり、オペアンプ１８４の出力はＨレベルに、オペアンプ１８５の出力はＬレベルとなる。オペアンプの出力インピーダンスは非常に大きいから、このときコンパレータ１８１の出力はＬレベルとなる。また、凍結温度検知センサ３１が正常で、バッファ回路１５１からの出力電圧が基準電圧Ｖｓ１よりも大きく、基準電圧Ｖｓ３よりも小さい場合には、オペアンプ１８４の出力はＨレベルに、オペアンプ１８５の出力もＨレベルとなり、コンパレータ１８１の出力はＨレベルとなる。また、凍結温度検知センサ３１が短絡した場合には、バッファ回路１５１への入力電圧は非常に大きくなるから、バッファ回路１５１からの出力電圧が基準電圧Ｖｓ３を越えると、オペアンプ１８４の出力はＬレベルに、オペアンプ１８５の出力はＨレベルとなり、コンパレータ１８１の出力はＬレベルとなる。
【００９５】
よって、凍結温度検知センサ３１に異常がない場合には、コンパレータ１８１の出力はＨレベルとなり、断線又は短絡が生じた場合には、Ｌレベルとなる。
【００９６】
このコンパレータ１８１の出力は、ナンドゲートによって構成された２段のインバータ１９０、１９１に接続されており、ナンドゲート１９１の出力は、出力回路１９２に接続されている。
【００９７】
出力回路１９２は、図１８に示すように構成されている。２つのダイオード１９４、１９５を直列に接続してリミッタ回路を構成し、これを５ボルトの電源電圧とグランドとの間に逆バイアスで接続し、インバータ１９１とダイオード１９４、１９５の中点との間に抵抗１９３を接続したものであり、ダイオード１９４、１９５間の中点からデジタル出力端子１９６が取り出されている。しかして、インバータ１９１からの出力は高電圧側を５ボルトでクリップされ、低電圧側は０ボルトでクリップされて出力され、凍結温度検知センサ３１が断線又は短絡している場合には、デジタル出力端子１９６からＬ信号が出力され、凍結温度検知センサ３１が正常である場合にはデジタル出力端子１９６からはＨ信号が出力される。
【００９８】
よって、デジタル出力端子１３４とデジタル出力端子１９６の出力により、給湯側ヒータ２５又は浴槽側ヒータ２６の断線と、凍結温度検知センサ３１の断線又は短絡とを監視することができ、しかも異常が発生した場合には、何れの異常であるかを判別することもできる。すなわち、
出力１３４／Ｈ、出力１９６／Ｈ  …いずれも異常なし
出力１３４／Ｈ、出力１９６／Ｌ  …センサ３１の異常
出力１３４／Ｌ、出力１９６／Ｈ  …ヒータ２５、２６の異常
出力１３４／Ｌ、出力１９６／Ｌ  …ヒータ２５、２６とセンサ３１の異常
そして、このデジタル出力端子１３４又は１９６からＬレベルの信号が出力された場合には、前記のように台所用リモコン３４や風呂用リモコン３５に異常が表示される。しかも、異常発生箇所が分かるよう、異常発生箇所に応じて異なる表示をする。
【００９９】
また、このヒータ異常検出回路では、検出結果を１つのアナログ信号として出力しており、上記デジタル出力と選択的に用いることができる。すなわち、ヒータ監視側のインバータ１２９からの出力と、センサ監視側のインバータ１９１からの出力は、図１９に示すような構成のデジタル／アナログ（Ｄ／Ａ）変換回路１９７に入力されている。
【０１００】
このＤ／Ａ変換回路１９７にあっては、オペアンプ２０４の出力から反転入力にコンデンサ２０５を介して負帰還を掛け、さらにオペアンプ２０４の出力とアナログ出力端子２１０との間に抵抗２０８を接続し、アナログ出力端子２１０からオペアンプ２０４の反転入力に抵抗２０９を介して負帰還を掛けている。また、ヒータ監視側のインバータ１２９の出力は、抵抗１９９を介してオペアンプ２０４の非反転入力に接続されている。センサ監視側のインバータ１９１の出力は、直列に接続された抵抗１９８及び２０１を介してオペアンプ２０４の非反転入力に接続されている。さらに、抵抗１９８と抵抗２０１の中点は、抵抗２００を介してオペアンプ２０４の非反転入力に接続され、抵抗２０２を介してグランドに接地されている。さらに、オペアンプ２０４の非反転入力は、交流成分カットのためのコンデンサ２０３を介して接地されている。オペアンプ２０４の出力と１５ボルトの電源電圧端子との間にはクリップ用のダイオード２０６が接続され、オペアンプ２０４の出力とグランドとの間にはクリップ用のダイオード２０７が接続されている。
【０１０１】
しかして、このＤ／Ａ変換回路１９７にあっては、インバータ１２９からオペアンプ２０４の非反転入力までの抵抗回路と、インバータ１９１からオペアンプ２０４の非反転入力までの抵抗回路とが異なっており、その抵抗値も異なっている。そのため、インバータ１２９の出力（Ｈ／Ｌ）とインバータ１９１の出力（Ｈ／Ｌ）の組み合わせによってアナログ出力端子２１０から出力されるアナログ出力電圧が異なっている。例えば、Ｄ／Ａ変換回路１９７の入力部分（インバータ１２９、１９１の出力）とアナログ出力端子２１０との間では、例えば
インバータ１２９／Ｈ、インバータ１９１／Ｈ → アナログ出力２.５Ｖ
インバータ１２９／Ｈ、インバータ１９１／Ｌ → アナログ出力１.２５Ｖ
インバータ１２９／Ｌ、インバータ１９１／Ｈ → アナログ出力０.６２５Ｖ
インバータ１２９／Ｌ、インバータ１９１／Ｌ → アナログ出力なし
という入出力関係を有している。従って、アナログ出力端子２１０の出力が２.５ボルト程度であれば、給湯側ヒータ２５や浴槽側ヒータ２６に断線は無く、凍結温度検知センサ３１には断線も短絡もないことになる。アナログ出力端子２１０の出力が１.２５ボルト程度であれば、凍結温度検知センサ３１に断線又は短絡が発生している。アナログ出力端子２１０の出力が０.６２５ボルト程度であれば、給湯側ヒータ２５又は浴槽側ヒータ２６に断線が発生している。アナログ出力端子２１０からの出力がなければ、凍結温度検知センサ３１に断線又は短絡が発生し、かつ、給湯側ヒータ２５又は浴槽側ヒータ２６に断線が発生しているということになる。なお、ここで用いたアナログ出力値は例であって、これらの値に限るものでない。
【０１０２】
このアナログ出力を用いる場合も、異常があった場合には、前記のように台所用リモコン３４や風呂用リモコン３５に異常の発生が表示されると共に警報で報知される。また、アナログ出力端子２１０からの出力電圧レベルに応じて異なる異常信号（エラーコード）が表示されるので、一目で異常箇所を確認することができる。
【０１０３】
異常検出ユニット３０からの断線検出信号の出力先は、通常マイクロコンピュータによって構成されているが、マイクロコンピュータのＡ／Ｄポートはサーモデータ等で多数使用されている。このためＡ／Ｄポートの空きがないと、異常検出ユニット３０のアナログ出力端子２１０から断線検出信号を出力することができない。このような場合、この実施形態では、アナログ出力端子２１０以外にも、デジタル出力端子１３４、１９６を設け、ここからも断線検出信号を出力できるようにしているので、マイクロコンピュータの種類や空きポートの状態などに応じてアナログとデジタルのうち任意の信号形式に切り替えることができる。よって、メインコントローラ２９内のマイクロコンピュータに対する制約が少なくなり、安価なマイクロコンピュータを使用することが可能となる。
【０１０４】
また、凍結温度検知センサ３１の断線又は短絡を検出するためのコンパレータ１８１の出力は、ナンドゲート１６８の他方の入力にも接続されている。従って、ナンドゲート１６８の入力には、凍結温度検知センサ３１の検出温度が凍結予防温度よりも下がったときに出力がＬレベルになるインバータ１６７Ａの出力と、凍結温度検知センサ３１の断線又は短絡が発生したときに出力がＬになるコンパレータ１８１の出力とが接続されており、ナンドゲート１６８の出力は、図１４のようなリレー駆動回路１６９に接続されている。
【０１０５】
従って、凍結温度検知センサ３１に断線や短絡等の異常が発生していない場合には、コンパレータ１８１の出力はＨレベルに保たれ、ナンドゲート１６８はインバータ動作する。この結果、凍結温度検知センサ３１の検出温度が凍結予防温度よりも下がってインバータ１６７Ａの出力がＬレベルになると、ナンドゲート１６８からリレー駆動回路１６９にＨレベルの信号が送られ、リレー１７０、１７１が励磁され、スイッチ４１、４８がオンになって給湯側ヒータ２５、浴槽側ヒータ２６が発熱し、配管等の凍結が防止される。
【０１０６】
これに対し、凍結温度検知センサ３１に断線又は短絡が発生した場合には、コンパレータ１８１の出力はＬレベルに保たれ、ナンドゲート１６８の出力がＨレベルに固定される。この結果、強制的にナンドゲート１６８からリレー駆動回路１６９にＨレベルの信号が送られ、リレー１７０、１７１が励磁され、スイッチ４１、４８がオンになって給湯側ヒータ２５、浴槽側ヒータ２６が発熱させられる。これによって、未然に配管等の凍結を防止する。
【０１０７】
なお、上記実施形態では、ヒータの断線だけを検出し、短絡は検出するようにしていないが、例えば図４の回路中におけるコンパレータ７５、９６として、図１７に示したような構成のコンパレータを使用することにより、短絡も検出できるようにすることが可能である。
【図面の簡単な説明】
【図１】本発明に係る熱源機の構成を示す図である。
【図２】本発明の一実施形態において同上の熱源機と異常検出ユニットとで構成された温水供給システムの概略図である。
【図３】（ａ）は台所リモコンの正面図、（ｂ）は風呂用リモコンの正面図である。
【図４】図２に示した異常検出ユニット内に設けられたヒータ異常検出回路の回路図である。
【図５】図４のヒータ異常検出回路における、整流平滑回路の具体的な回路図である。
【図６】図４のヒータ異常検出回路における、増幅回路の具体的な回路図である。
【図７】図４のヒータ異常検出回路における、コンパレータの具体的な回路図である。
【図８】図４のヒータ異常検出回路における、受光回路の具体的な回路図である。
【図９】図４のヒータ異常検出回路における、出力回路の具体的な回路図である。
【図１０】図４のヒータ異常検出回路に電力を供給するための電源回路の具体的な回路図である。
【図１１】図４のヒータ異常検出回路におけるスイッチを駆動させるためのヒータ駆動回路の回路図である。
【図１２】図１１のヒータ駆動回路における、増幅回路の具体的な回路図である。
【図１３】図１１のヒータ駆動回路における、コンパレータの具体的な回路図である。
【図１４】図１１のヒータ駆動回路における、リレー駆動回路の具体的な回路図である。
【図１５】図２の温水供給システムにおいて、ヒータの断線を検出したときの処理を表したフロー図である。
【図１６】本発明の別な実施形態によるヒータ異常検出回路を示す回路図である。
【図１７】図１６のヒータ異常検出回路における、凍結温度検知センサの断線／短絡検出のためのコンパレータの具体的な回路図である。
【図１８】図１６のヒータ異常検出回路における、ヒータ駆動回路の出力回路の具体的な回路図である。
【図１９】図１６のヒータ異常検出回路における、Ｄ／Ａ変換回路の具体的な回路図である。
【符号の説明】
１      熱源機
２５      凍結防止用ヒータ（給湯側ヒータ）
２６      凍結防止用ヒータ（浴槽側ヒータ）
２７      凍結防止用ヒータ（器具内ヒータ）
２９      メインコントローラ
３０      異常検出ユニット
３１      凍結温度検知センサ
４１、４８      スイッチ
４５、５２      フォトカプラの発光部
５８、９３      ＣＴ電流センサ
８６、９８      フォトカプラの受光部
１６９      リレー駆動回路
１７０、１７１      リレー
【図１】
0004166922.tif 000002
【図２】
0004166922.tif 000003
【図３】
0004166922.tif 000004
【図４】
0004166922.tif 000005
【図５】
0004166922.tif 000006
【図６】
0004166922.tif 000007
【図７】
0004166922.tif 000008
【図８】
0004166922.tif 000009
【図９】
0004166922.tif 000010
【図１０】
0004166922.tif 000011
【図１１】
0004166922.tif 000012
【図１２】
0004166922.tif 000013
【図１３】
0004166922.tif 000014
【図１４】
0004166922.tif 000015
【図１５】
0004166922.tif 000016
【図１６】
0004166922.tif 000017
【図１７】
0004166922.tif 000018
【図１８】
0004166922.tif 000019
【図１９】
0004166922.tif 000020